(57)【要約】【課題】水平風向制御部材の角度変更時の操作性が改善され、潤滑油の塗布などの必要がない空気調和機の室内機を得る。【解決手段】吹出し口に設けられたベース部材３０と、このベース部材に対して一側が回動可能に設けられ吹出し口から吹出す空気の向きを水平方向に偏向する複数の羽根４１と、ベース部材に対向してスライド可能に設けられ、かつ上記複数の羽根の他側がそれぞれ回動可能に係止されてなり、該ベース部材に対してスライドさせて該複数の羽根の角度を連動して変える水平風向制御部材４３と、この水平風向制御部材の上記吹出し口の下流方向に設けられた操作ノブ４３ａと、ベース部材及び水平風向制御部材における操作ノブの背面部及びその上流側の２箇所の対向面相互にそれぞれ設けられ、任意の一方が凸部、他方が該凸部に係合して水平風向制御部材を係止する凹凸列からなる２組の係止手段６１、６２とを備えた。【選択図】図７
2007120890.tif 000002
【特許請求の範囲】
【請求項１】
筐体に設けられた吸込み口と吹出し口を結ぶ通風路に熱交換器と送風機を備えた空気調和機の室内機において、上記吹出し口に設けられたベース部材と、このベース部材に対して一側が回動可能に設けられ上記吹出し口から吹出す空気の向きを水平方向に偏向する複数の羽根と、上記ベース部材に対向してスライド可能に設けられ、かつ上記複数の羽根の他側がそれぞれ回動可能に係止されてなり、該ベース部材に対してスライドさせることにより上記複数の羽根の角度を連動して変える水平風向制御部材と、この水平風向制御部材の上記吹出し口の下流方向に設けられた操作ノブと、上記ベース部材及び上記水平風向制御部材における上記操作ノブの背面部及びその上流側の２箇所の対向面相互にそれぞれ設けられ、任意の一方が凸部、他方が該凸部に係合して上記水平風向制御部材を係止する凹凸列からなる２組の係止手段とを備えてなることを特徴とする空気調和機の室内機。
【請求項２】
上記ベース部材は、上記吹出し口に水平方向に延在され、上下方向の角度を変えるように設けられた垂直風向制御部材からなることを特徴とする請求項１に記載の空気調和機の室内機。
【請求項３】
上記ベース部材は、上記筐体の吹出し口を形成している上部風路壁からなることを特徴とする請求項１に記載の空気調和機の室内機。
【請求項４】
上記ベース部材は、上記筐体の吹出し口を形成している下部風路壁からなることを特徴とする請求項１に記載の空気調和機の室内機。
【請求項５】
上記凹凸列は、扇状に形成された櫛状凹部からなることを特徴とする請求項１ないし請求項４の何れかに記載の空気調和機の室内機。
【発明の詳細な説明】
【技術分野】
【０００１】
この発明は、被調和室内の壁面に取り付けて使用される空気調和機の室内機に関し、特に風向制御装置の改良に関するものである。
【背景技術】
【０００２】
従来の空気調和機の室内機における水平方向の風向制御装置として、例えば羽根の向きを変える可動部の上面に凹凸部を設ける一方、この凹凸部の上面に、固定部である吹出し口内面より突設された棒状の押さえ部底面に設けた凸部が押圧状態で係合するように配設し、可動部を左右方向に摺動させ任意の位置で停止することで吹出し風の左右方向をコントロールするようにしたものがある（例えば特許文献１参照。）。
【０００３】
【特許文献１】特開２００４−２３９４９６号公報（段落００１７、図２、図３）
【発明の開示】
【発明が解決しようとする課題】
【０００４】
上記のように構成された従来の空気調和機の室内機においては、可動部を左右方向に摺動させ任意の位置で停止することを可能としているが、棒状の押さえ部を固定部である平面状の吹出し口内面から風路方向に突出させて形成しているために、該押さえ部の固定部分から押さえ部底面に設けた凸部までの距離が短くなり、該固定部分に応力が集中し易く、破損し易いという課題があった。また、操作力が大きく羽根の向きを変え難いほか、操作力を小さくするために可動部の上面に設けられた凹凸部と押さえ部底面に設けた凸部の係合部に潤滑油の塗布が必要となる場合があるという課題があった。
【０００５】
この発明は、上記のような従来技術の課題を解消するためになされたものであり、水平風向制御部材の角度を変更するときの操作力が小さく、操作性が改善され、しかも潤滑油の塗布などの必要がなくコストを低減し得る空気調和機の室内機を提供することを目的としている。
【課題を解決するための手段】
【０００６】
この発明に係る空気調和機の室内機は、筐体に設けられた吸込み口と吹出し口を結ぶ通風路に熱交換器と送風機を備えた空気調和機の室内機において、上記吹出し口に設けられたベース部材と、このベース部材に対して一側が回動可能に設けられ上記吹出し口から吹出す空気の向きを水平方向に偏向する複数の羽根と、上記ベース部材に対向してスライド可能に設けられ、かつ上記複数の羽根の他側がそれぞれ回動可能に係止されてなり、該ベース部材に対してスライドさせることにより上記複数の羽根の角度を連動して変える水平風向制御部材と、この水平風向制御部材の上記吹出し口の下流方向に設けられた操作ノブと、上記ベース部材及び上記水平風向制御部材における上記操作ノブの背面部及びその上流側の２箇所の対向面相互にそれぞれ設けられ、任意の一方が凸部、他方が該凸部に係合して上記水平風向制御部材を係止する凹凸列からなる２組の係止手段とを備えたものである。
【発明の効果】
【０００７】
この発明においては、ベース部材と、このベース部材に対向してスライド可能に設けられた水平風向制御部材との操作ノブの背面部を含む対向面相互に、凹部と凹凸列の組み合わせでなる２組の係止手段を設けたことにより、水平風向制御部材の操作に伴い操作ノブ部も同時に持ち上がることで操作力を軽くすることができ、操作性が改善する。その結果、潤滑油の塗布が不要になりコストも低減できる。
【発明を実施するための最良の形態】
【０００８】
実施の形態１．
図１〜図８は本発明の実施の形態１による空気調和機の室内機を説明するもので、図１は全体構成を示す斜視図、図２は図１の概略断面図、図３は図２に示す風向制御装置を示す斜視図、図４（ａ）は図３に示された垂直風向制御部材の要部を示す斜視図、図４（ｂ）は図４（ａ）の凹凸列を示す拡大断面図、図５（ａ）は図３の水平風向制御装置を天面側から見たときの構成を示す斜視図、図５（ｂ）はその裏面側から見たときの構成を示す要部斜視図、図５（ｃ）は図５（ｂ）の凹凸列を示す拡大断面図、図６（ａ）〜（ｃ）は水平風向制御部材を操作するときの動作説明図、図７は２組の係止手段の配置関係と凸部の高さを模式的に説明する断面図、図８は凸部の高さと操作力の関係について測定された特性図である。なお、各図を通じて同一符号は同一もしくは相当部分を示すものとする。
【０００９】
図において、空気調和機の室内機の筐体１は、天面部に被調和室内の空気を吸込む吸込み口１１、下面部前方に該吸込み口１１から吸込んだ空気を被調和室内に吹出す吹出し口１６がそれぞれ設けられ、これら吸込み口１１と吹出し口１６を結ぶように形成された通風路１０に、空気の温度・湿度を調節する熱交換器１２と、吸込み気流Ａ及び吹出し気流Ｂを生じさせるクロスフローファンからなる送風機１３が設けられている。また、吹出し口１６には、吹出し気流Ｂの垂直方向及び水平方向の向きを変えるための風向制御装置２が設けられている。該風向制御装置２は図３に示す外観を呈し、この実施の形態１では、図４に示すベース部材を兼ねる垂直風向制御部材３０と、この垂直風向制御部材３０上に左右方向に２個並設された図５に示す水平風向制御装置４とが一体的に組み立てられた組立体からなっている。
【００１０】
ベース部材としての垂直風向制御部材３０は、図３、図４に示すように細長い板状に形成された樹脂成型体からなり、その上面に図５に示す水平風向制御装置４を固定するための固定部３０ａ及び３０ｂが射出成型により一体的に突出形成されている。そして、垂直風向制御部材３０の吹出し口奥側（図４（ａ）の上方向）には、水平風向制御装置４の水平方向の設定角度を保持するための第１の係止手段６１を構成する凸部６１ａが一体的に突出形成され、また、該凸部６１ａの反対側（吹出し口出口側）の端部近傍には、複数の凹部が連続的に扇状に形成された櫛状凹部からなる第２の係止手段６２を構成する凹凸列６２ｂが形成されている。なお、垂直風向制御部材３０の左右両端部には支軸３１が設けられ、筐体１に対して回動可能に保持され、図示省略している駆動装置と共に垂直風向制御装置３を構成している。また、凸部６１ａ及び凹凸列６２ｂは、垂直風向制御部材３０の左右所定部に１箇所ずつ計２個所に設けられている。
【００１１】
上記水平風向制御装置４は、吹出し口１６から吹出す空気の向きを水平方向に偏向するための複数の羽根４１と、それらの羽根４１の下端部一側の吹出し方向各先端部を連結すると共に回動可能に保持する基板４２と、各羽根４１の下端部他側の吹出し方向奥側端部を連結して回動可能に保持すると共にベース部材である垂直風向制御部材３０に対して左右方向にスライドさせて上記複数の羽根４１の角度を連動して変える水平風向制御部材４３からなっている。そして、水平風向制御部材４３の左右方向中央部における矢印Ｂで示す吹出し方向先端部側及び上方向に突出する操作ノブ４３ａが一体的に設けられ、その背面部側には図５（ｂ）に示すように第２の係止手段６２を構成する凸部６２ａ、及び複数の凹部が連続的に扇状に形成された櫛状凹部からなる第１の係止手段６１を構成する凹凸列６１ｂがそれぞれ形成されている。
【００１２】
上記水平風向制御装置４の基板４２は、上記垂直風向制御部材３０の固定部３０ｂに嵌合固定され、上記水平風向制御部材４３は、垂直風向制御部材３０に対して円弧状の係止穴４３ｂに沿ってスライド可能に固定部３０ａに係合される。そのとき、垂直風向制御部材３０側の凸部６１ａは水平風向制御部材４３側の凹凸列６１ｂに係合されて第１の係止手段６１を構成し、垂直風向制御部材３０側の凹凸列６２ｂは水平風向制御部材４３側の凸部６２ａに係合されて第２の係止手段６２を構成する。この発明においては、ベース部材としての垂直風向制御部材３０と水平風向制御部材４３との対向面相互に、羽根４１の向きを固定するための手段として、第１の係止手段６１及び第２の係止手段６２の２組の係止手段が設けられていることが特徴の一つである。なお、第１の係止手段６１に対して、第２の係止手段６２は矢印で示す吹出し気流Ｂの下流方向に配設されている。なお、１４は上部風路壁、１５は下部風路壁である。その他の構成は従来装置と同様であるので説明を省略する。
【００１３】
次に、上記のように構成された実施の形態１の動作について説明する。図６は第１の係止手段６１の側を示しており、図６（ａ）に示す初期状態では、垂直風向制御部材３０側の凸部６１ａは水平風向制御部材４３側の凹凸列６１ｂの凹部に進入する形で水平風向制御部材４３の水平方向の動きを拘束している。該初期状態から、水平風向制御部材４３の操作ノブ４３ａを持ち、図６（ａ）の矢印Ｃで示す水平方向右側に該操作ノブ４３ａを移動させると、図６（ｂ）に示すとおり、水平風向制御部材４３の凹凸列６１ｂ近傍が図の上方に撓み、垂直風向制御部材３０の凸部６１ａを乗りあげる。さらに操作ノブ４３ａを右方向へ移動すると、図６（ｃ）に示すとおり、凹凸列６１ｂの隣接する凹部、あるいは所望の角度に対応した任意の凹部に嵌り込み、水平風向制御部材４３の位置が決まるようになっている。
【００１４】
上記操作ノブ４３ａを指５で保持し水平方向に左右に移動する操作で、第１の係止手段６１における水平風向制御部材４３の凹凸列６１ｂ近傍の撓みが最大になったときの全体の変形状態は図７に模式的に示すように、操作ノブ４３ａの直下に設置された第２の係止手段６２を構成する水平風向制御部材４３の凸部６２ａも、垂直風向制御部材３０の凹凸列６２ｂの凸部に同時に乗り上げ、第１の係止手段６１の側に同期して水平風向制御部材４３の図７の左右方向全体が撓んで持ちあがる。
【００１５】
なお、一般的な樹脂注型材料を用いて成型された家庭用の標準サイズ（横幅約８０〜８５ｃｍ）の室内機に用いる風向制御装置２について実験検討を行い、上記凸部６１ａの高さｈ１と操作力ｆの関係について測定された結果を図示すると図８の通りとなり、操作感が良好な範囲は、
５（Ｎ）≦ｆ≦２０（Ｎ）      ・・・式（１）
であることがわかった。すなわち凸部６１ａの高さｈ１の適正範囲は、
０．３５（ｍｍ）≦ｈ１≦１．４（ｍｍ）      ・・・式（２）
である。このとき凸部６２ａの高さｈ２は、凸部６１ａの高さｈ１未満であることが望ましい。
【００１６】
上記のようにこの実施の形態１によれば、操作ノブ４３ａの操作により、水平方向の風向を変更する操作に伴い、操作ノブ４３ａ背面側に設けられた第１及び第２の２つの係止手段６１、６２部に対応する水平風向制御部材４３も同時に持ち上がるようにしたため、操作力を軽くすることができ、操作性が改善する。その結果、係止手段６１、６２に潤滑油の塗布が不要になりコストも低減できる。
【００１７】
実施の形態２．
図９〜図１０は、この発明の実施の形態２による空気調和装置の室内機の要部を説明するもので、図９は垂直風向制御部材の上面要部を示す斜視図、図１０（ａ）は水平風向制御部材を天面側から見たときの概要構成を示す斜視図、図１０（ｂ）は裏面側から見たときの構成を示す要部斜視図である。上記実施の形態１では、ベース部材としての垂直風向制御部材３０、及び水平風向制御部材４３の双方にそれぞれ凸部と扇状の凹凸列とを１箇所ずつ設けたが、この実施の形態２では、図９、図１０に示すように、垂直風向制御部材３０に凸部６１ａ、６２ａを集約し、水平風向制御部材４３に凹凸列６１ｂ、６２ｂを集約して設け、凸部６１ａに対して凹凸列６１ｂを、凸部６２ａに対して凹凸列６２ｂをそれぞれ対向させて互いに係合するように設け、第１及び第２の２つの係止手段６１、６２としたものである。その他の構成は上記実施の形態１と同様である。
【００１８】
この実施の形態２の構成によれば、上記実施の形態１と全く同様に水平方向の風向を変更する操作に伴い、操作ノブ４３ａ部も同時に持ち上がるようにしたため、操作力を軽くすることができ、操作性が改善する。その結果、潤滑油の塗布も不要になりコストが低減できる。なお、上記とは逆に垂直風向制御部材３０に凹凸列６１ｂ、６２ｂを集約し、水平風向制御部材４３に凸部６１ａ、６２ａを集約してもよいことは言うまでもない。要するに、操作ノブ４３ａの背面部及び該背面部に対向するベース部材（ここでは垂直風向制御部材３０）の表面部からなる第１の組、並びに操作ノブ４３ａの筐体内側方向（図１０においては右上方向）に位置する水平風向制御部材４３の背面部及び該背面部に対向する上記ベース部材の表面部からなる第２の組の各背面部及び表面部の内、任意の一方を凸部に形成し、他方を水平方向に列設された上記凸部に係合して上記水平風向制御部材４３を位置決めする凹凸列に形成してなる２組の係止手段とを備えるように構成することで同様の効果を得ることができる。
【００１９】
実施の形態３．
図１１は、この発明の実施の形態３による空気調和装置の室内機の要部を概念的に示す断面図である。上記実施の形態１では、風向制御装置２を構成するベース部材として垂直風向制御部材３０を用い、該垂直風向制御部材３０に水平風向制御装置４を一体的に組み合わせる構造としたが、ベース部材は必ずしも垂直風向制御部材３０である必要はなく、この実施の形態３では図１１に示すように、ベース部材として室内機本体の上部風路壁１４を用い、水平風向制御装置４を該上部風路壁１４の下面部に取り付けたものである。なお、この例の場合には、水平風向制御装置４を固定するための図４の固定部３０ａ及び３０ｂに相当する係合手段、及び水平風向制御部材４３の位置決めのための第１及び第２の係止手段６１、６２を構成する凹凸列、または凸部などは、上部風路壁１４側に同様に設置されることは言うまでもない（図示省略）。
【００２０】
上記のような実施の形態３の構成によれば、上記実施の形態１と同様の効果に加えて、水平風向制御装置４を、風を送り出すクロスフローファンからなる送風機１３に近づけることができるため、水平方向の風向制御性能が改善するという効果が得られる。また、垂直風向制御部材３０を単なる板状のものに簡素化できるため、垂直風向制御装置３を吹出し口１６の開閉フラップとして併用できるなどの効果も期待できる。
【００２１】
実施の形態４．
図１２は、この発明の実施の形態４による空気調和装置の室内機の要部を概念的に示す断面図である。この実施の形態４では、ベース部材として図１２に示すように、室内機本体の下部風路壁１５を用い、水平風向制御装置４を該下部風路壁１５に取り付けたものである。なお、この例の場合には、水平風向制御装置４を固定するための図４の固定部３０ａ及び３０ｂに相当する係合手段、及び水平風向制御部材４３の位置決めのための第１及び第２の係止手段６１、６２を構成する凹凸列、または凸部などは該下部風路壁１５側に同様に設置されることは言うまでもない（図示省略）。
【００２２】
上記のように構成された実施の形態４によれば、水平風向制御装置４を、風を送り出す送風機１３に近づけることができるため、上記実施の形態３と同様に、水平方向の風向制御性能が改善するなどの効果が得られる。
【００２３】
なお、上記各実施の形態の説明では、凹凸列６１ｂ、６２ｂを扇状に形成された櫛状凹部によって形成したが、凹凸列６１ｂ、６２ｂの形状、凸部６１ａ、６２ａの形状などは勿論例示したものに限定されるものではない。例えば、図４（ｂ）に示す凹凸列６２ｂは、凹部が板厚方向に貫通されていてもよい。また、凹凸列を、断面三角形の山形、あるいは断面半円形の凹部を横に連ねて形成したものなど、水平風向制御部材４３を係止できるものであれば特に限定されず、同様の効果が期待できる。その他、本発明の精神の範囲内で、種々の変形や変更が可能であることは言うまでもない。
【図面の簡単な説明】
【００２４】
【図１】本発明の実施の形態１による空気調和機の室内機の全体構成を示す斜視図。
【図２】図１の概略断面図。
【図３】図２に示す風向制御装置を示す斜視図。
【図４】図４（ａ）は図３に示された垂直風向制御部材の要部を示す斜視図、図４（ｂ）は図４（ａ）の凹凸列を示す拡大断面図。
【図５】図５（ａ）は図３の水平風向制御装置を天面側から見たときの構成を示す斜視図、図５（ｂ）はその裏面側から見たときの構成を示す要部斜視図、図５（ｃ）は図５（ｂ）の凹凸列を示す拡大断面図。
【図６】図６（ａ）〜図６（ｃ）は水平風向制御部材を操作するときの動作説明図。
【図７】図１の室内機における２組の係止手段の配置関係と凸部の高さを模式的に説明する断面図。
【図８】図７に示す凸部の高さと操作力の関係について測定された特性図。
【図９】この発明の実施の形態２による空気調和装置の室内機の垂直風向制御部材の上面要部を示す斜視図。
【図１０】図１０（ａ）は図９に示す水平風向制御部材を天面側から見たときの概要構成を示す斜視図、図１０（ｂ）は裏面側から見たときの構成を示す要部斜視図。
【図１１】この発明の実施の形態３による空気調和装置の室内機の要部を概念的に示す断面図。
【図１２】この発明の実施の形態４による空気調和装置の室内機の要部を概念的に示す断面図。
【符号の説明】
【００２５】
１  筐体、  １０  通風路、  １１  吸込み口、  １２  熱交換器、  １３  送風機、  １４  上部風路壁、  １５  下部風路壁、  １６  吹出し口、  ２  風向制御装置、  ３  垂直風向制御装置、  ３０  垂直風向制御部材（ベース部材）、  ３０ａ、３０ｂ  固定部、  ４  水平風向制御部材、  ４１  羽根、  ４２  基板、  ４３  水平風向制御部材、  ４３ａ  操作ノブ、  ４３ｂ  係止穴、  ５  指、  ６１  第１の係止手段、  ６１ａ  凸部、  ６１ｂ  凹凸列、  ６２  第２の係止手段、  ６２ａ  凸部、  ６２ｂ  凹凸列、  Ａ  吸込み気流、  Ｂ  吹出し気流。
【図１】
2007120890.tif 000003
【図２】
2007120890.tif 000004
【図３】
2007120890.tif 000005
【図４】
2007120890.tif 000006
【図５】
2007120890.tif 000007
【図６】
2007120890.tif 000008
【図７】
2007120890.tif 000009
【図８】
2007120890.tif 000010
【図９】
2007120890.tif 000011
【図１０】
2007120890.tif 000012
【図１１】
2007120890.tif 000013
【図１２】
2007120890.tif 000014